(57)【特許請求の範囲】
【請求項１】
前後方向に伸びる揺動支軸（１０）を備えた基体フレーム（２）に主車輪（６，７）が前後一直線上に配設されるとともに操縦ハンドル（３１，３２）が配設され、前記揺動支軸（１０）に揺動フレーム（５０）が上下揺動自在に支持されるとともに、該揺動フレーム（５０）における機体進行方向に対して左右方向の片側に側車（７０）が配設され、かつ、前記揺動フレーム（５０）に、散布物が貯留される貯留タンク（７５）と、該貯留タンク（７５）内の散布物を散布するための搬送風を生成する送風機（６５）と、該送風機（６５）の駆動源となる原動機（６０）等の搭載重量物部分（５）が搭載保持されてなる走行式動力散布機。
【請求項２】
前記揺動フレーム（５０）は、それに搭載保持された前記貯留タンク（７５）、送風機（６５）、原動機（６０）等の搭載重量物部分（５）により、前記側車（７０）を路面に押し付ける方向に加重されることを特徴とする請求項１に記載の走行式動力散布機。
【請求項３】
前記側車（７０）は、前記主車輪（６，７）に対して外側に傾くように所定角度（α）だけ傾斜せしめられていることを特徴とする請求項１又は２に記載の走行式動力散布機。
【請求項４】
前記基体フレーム（２）の前後に、主車輪としての前輪（６）及び後輪（７）が配設されるとともに、前記側車（７０）が前記前輪（６）と後輪（７）との間でかつ後方から見て前記前輪（６）及び後輪（７）より左側方に突出した位置に配置されていることを特徴とする請求項１から３のいずれか一項に記載の走行式動力散布機。
【請求項５】
前記側車（７０）と前記揺動フレーム（５０）との間に、ショックアブソーバ（６ａ）が介装されていることを特徴とする請求項１から４のいずれか一項に記載の走行式動力散布機。
【請求項６】
前記原動機（６０）は、前記送風機（６５）と前記主車輪（６，７）の兼用駆動源とされていることを特徴とする請求項１から５のいずれか一項に記載の走行式動力散布機。
【請求項７】
前記送風機（６５）は、前記揺動支軸（１０）の下側にそのファン（６５ｂ）の回転軸（６５ｃ）が前記揺動支軸（１０）に側面から見て直交する姿勢で配置されていることを特徴とする請求項１から６のいずれか一項に記載の走行式動力散布機。
【請求項８】
前記送風機（６５）の吐出口（６５ｄ）に、曲噴管（８２）を介して直噴管（８４）の管状散布具（８０）が側方に突出した状態で連結されるとともに、前記基体フレーム（２）に、前記管状散布具（８０）における前記直噴管（８４）の前記揺動支軸（１０）を揺動中心軸とした上下揺動に伴う長手方向の移動を許容するように、前記直噴管（８４）を摺滑動自在に支持する支持具（９０）が配設されていることを特徴とする請求項１から７のいずれか一項に記載の走行式動力散布機。
【請求項９】
前記支持具（９０）は、前記基体フレーム（２）に立設された支持杆（９１）と、この支持杆（９１）に配設され、前記直噴管（８４）に緩く外嵌されて該直噴管（８４）の水平面に対する傾斜角度（θ）を略一定に保持したまま長手方向に移動可能に支持案内する一個又は複数個のリング状ないしスリーブ状の支持案内部材（９３，９４）と、を備えて構成されていることを特徴とする請求項８に記載の走行式動力散布機。
【発明の詳細な説明】
【０００１】
【発明の属する技術分野】
本発明は、畦畔等を走行しながら農薬、肥料、種子等の粉粒状ないし液状の散布物の散布作業を行うようにされた走行式動力散布機に関する。
【０００２】
【従来の技術】
水田の防除、施肥等に使用される動力散布機としては、従来、背負い式のものが一般的であるが、この背負い式の動力散布機は、貯留タンク、送風機及び原動機等の機体部分だけでも相当重いのに、それに加えて前記貯留タンクに貯留された散布すべき農薬、肥料、種子等の散布物の重量も付加されるので、それを背負って足場の悪い畦畔や圃場を歩行しながら散布作業を行うことは極めて重労働となり、最近における農業従事者の高齢化等を考慮すると、貯留タンク、送風機及び原動機等を台車に搭載して走行させながら散布作業を行えるようになすことが望まれる。
【０００３】
このような要望に応えるべく、例えば、実公平４−５０９２９号公報にも見られるように、車輪を備えた基体フレーム（台車）に、散布物が貯留される貯留タンクと、該貯留タンク内の散布物を散布するための搬送風を生成する遠心式送風機と、該遠心式送風機の駆動源となる原動機としてのエンジンと、を搭載保持するとともに、押動ハンドルを設け、該押動ハンドルを押して畦畔等の凹凸のある細い不整地を走行させながら前記エンジンにより前記送風機を駆動し、この送風機に連結された直噴管等の管状散布具を通じて散布作業を行うようにされた走行式動力散布機が提案されている。
【０００４】
【発明が解決しようとする課題】
しかしながら、前記の如き従来の走行式動力散布機にあっては、車輪を備えた基体フレームに、遠心式送風機、原動機としてのエンジン、貯留タンク等の重量物が背負い式の状態そのままで搭載保持されているので、その搭載重量物部分（貯留タンク、エンジン、送風機等からなる部分）の全高が高くなるとともに重心位置も高くなって姿勢安定性が悪くなり、特に、凹凸のある畦畔等の細い不整地を走行させる際、機体を制御し難く、傾斜、転倒、転落等を生じやすい。
【０００５】
より詳しく述べれば、前記従来の走行式動力散布機を凹凸のある畦畔等の不整地で走行させると、前記車輪が不整地の凹凸を拾うので、前記基体フレーム及び搭載重量物部分が上下だけでなく左右にも大きく振れ、それらの重心位置が左右に大きく変動して左右のバランスをとり難くなり、前記搭載重量物部分及び基体フレームと一体のハンドルも左右に揺動し、その結果、ハンドルをとられて不所望な方向に進み、畦畔から田圃の用水溝等に車輪が転落したり、機体の安定性が損なわれてその傾きを抑えきれず、甚だしい場合には転倒してしまうといった問題が生じる。
【０００６】
また、機体が左右に揺動すると、前記送風機の吐出口に連結された直噴管等の管状散布具もそれと一緒に左右に揺動する。この場合、前記管状散布具の噴口部（先端部）は、通常、機体から側方に突出するように位置せしめられているので、それが左右に振れると、水平面に対する散布物の噴射放出角度が大きく変化し、そのため、田圃の作物等に対する散布物の散布密度がばらついて、いわゆる散布むらを生じ、散布性能が低下するという問題も生じる。
【０００７】
本発明は、このような問題に鑑みてなされたものであって、その目的とするところは、凹凸のある畦畔等の不整地を走行する際にも、ハンドルの左右方向の揺動を可及的に抑えて姿勢安定性及び走行安定性を向上させることができるとともに、散布むらが減少して散布性能を向上させることができ、もって、散布作業を容易かつ適正にしかも効率良く行えるようにされた走行式動力散布機を提供することである。
【０００８】
【課題を解決するための手段】
前記の目的を達成すべく、本発明に係る走行式動力散布機は、基本的には、前後方向に伸びる揺動支軸を備えた基体フレームに主車輪が前後一直線上に配設されるとともに操縦ハンドルが配設され、前記揺動支軸に揺動フレームが上下揺動自在に支持されるとともに、該揺動フレームにおける機体進行方向に対して左右方向の片側に側車が配設され、かつ、前記揺動フレームに、散布物が貯留される貯留タンクと、該貯留タンク内の散布物を散布するための搬送風を生成する送風機と、該送風機の駆動源となる原動機と、が搭載保持されてなり、好ましい態様では、前記揺動フレームは、それに搭載保持された前記貯留タンク、送風機、原動機等の重量物により、常時前記側車を路面に押し付ける方向に加重される。
【０００９】
前述の如くの構成とされた本発明に係る走行式動力散布機においては、操縦ハンドルや主車輪が配設された基体フレームに備えられる揺動支軸に、貯留タンク、送風機、原動機等が搭載保持されるとともに側車が配設された揺動フレームが、上下揺動自在に支持されているので、凹凸のある畦畔等の不整地走行時には、主車輪が不整地の凹凸を拾うと、基体フレームに配設された操縦ハンドルが左右に多少は振れるが、前記貯留タンク、送風機、原動機等の搭載重量物部分は前記基体フレームとは独立して上下揺動自在に、言い換えればフローティング支持されているので、主車輪の左右の振れは影響せず、前記操縦ハンドルの振れには追従しない。
【００１０】
逆にいえば、前記揺動フレーム側に配設された側車が不整地の凹凸を拾うと、前記搭載重量物部分が左右に振れるが、この場合、前記搭載重量物部分は側車と基体フレーム（主車輪）の両方で支持されているので、主車輪のみで支持している場合に比して、その重心位置の変動がやわらげられて安定性が増すとともに、前記搭載重量物部分の振れは操縦ハンドル側には伝わり難くなる。
そのため、畦畔等の不整地を走行する際にも、操縦ハンドルによる操縦操作を容易に行えて機体を制御しやすくなり、姿勢安定性及び走行安定性が増して、転倒、転落等を招き難くなり、散布作業を容易かつ適正にしかも効率良く行える。
【００１１】
また、本発明の好ましい態様では、送風機の吐出口に、曲噴管を介して直噴管の管状散布具が側方に突出した状態で連結されるとともに、前記基体フレームに、前記管状散布具における直管部分の前記揺動支軸を揺動中心軸とした上下揺動に伴う長手方向の移動を許容するように、前記直管部分を摺滑動自在に支持する支持具が配設される。
【００１２】
前記支持具の好ましい具体構成としては、前記基体フレームに立設された支持杆と、この支持杆に配設され、前記直管部分に緩く外嵌されて該直管部分の水平面に対する傾斜角度を略一定に保持したまま長手方向に移動可能に支持案内する一個又は複数個のリング状ないしスリーブ状の支持案内部材と、を備えたものが挙げられる。
【００１３】
このように、送風機の吐出口に連結された管状散布具を基体フレームに配設された支持具で支持することより、不整地走行時等に、前記基体フレームあるいは前記送風機を含む搭載重量物部分が左右に振れると、前記支持具は前記基体フレームと一緒に左右に振れ、前記管状散布具は前記搭載重量物部分と一緒に前記揺動支軸を揺動中心軸として左右に振れるが、このとき、前記管状散布具の直管部分は、前記支持具の支持案内部材に案内されて、前記揺動支軸を揺動中心軸とした前記基体フレーム又は前記搭載重量物部分の揺動に伴って前記支持案内部材に対して長手方向に相対移動せしめられる。
そのため、不整地走行時においても、管状散布具から噴射放出される散布物の水平面に対する噴射放出角度はほとんど変化せず、その結果、田圃の作物等に対する散布物の散布密度が均一化され、散布むらが減少し、散布性能が向上する。
【００１４】
【発明の実施の形態】
以下に添付の図を参照して本発明の実施形態を詳細に説明する。
図１〜図３は、本発明に係る走行式動力散布機の一実施形態を示す平面図、左側面図、後面図である。
【００１５】
図示実施形態の走行式動力散布機１０は、粉粒状の散布物の散布作業に適したものの一例であり、基本的には、図１〜図３に加えて図６を参照すればよくわかるように、機体進行前後方向（水平方向）に伸びる中心軸線Ｍ−Ｍを有する揺動支軸１０を備えた基体フレーム２の前後に、畦畔上を安定走行できるように、主車輪としての空気入りタイヤからなる遊転前輪６及びゴムラグ付きの広幅の駆動後輪７が前後一直線上に配設されるとともに、その後部に、操縦ハンドルとして左右一対のハンドル３１，３２が配設され、前記揺動支軸１０には、図１〜図３に加えて図７を参照すればよくわかるように、それに緩く外嵌される管状メンバ５１を有する揺動フレーム５０が上下揺動自在に支持されるとともに、該揺動フレーム５０における機体進行方向に対して左右方向の左側、言い換えれば、前記前輪６と後輪７との間で、かつ、後方から見て前記前輪６及び後輪７より左側方に突出した位置に側車７０が配設され、かつ、前記揺動フレーム５０に、搭載重量物部分５とされる、散布物が貯留される貯留タンク７５、該貯留タンク７５内の散布物を散布するための搬送風を生成する遠心式送風機６５、該遠心式送風機６５の駆動源となる原動機としての小型空冷２サイクルガソリンエンジン６０（以下単にエンジン６０と略称する）等が搭載保持されている。
【００１６】
より詳細には、前記基体フレーム２に備えられる前記揺動支軸１０の前端部には、ピン１９（図４）で着脱自在に固定された取付部材１８を介してその上辺部１１ａ（図６）が取付固定された、図５にその一部が示されている如くの基体側台形リング状メンバ１１と、該台形リング状メンバ１１の下辺部１１ｂに芯材（図示省略）を介して相互に平行に連結固定されて前方に突出する左右一対の前部並列メンバ１３，１３と、これら前部並列メンバ１３，１３の前端部に連結固定された左右一対の立上板１５，１５と、これら立上板１５，１５の上端部相互を連結する上面連結板１６と、が配設されており、前記左右一対の立上板１５，１５間に前記前輪６が軸架され、前記上面連結板１６に後述する支持具９０が立設保持されている。
【００１７】
また、前記揺動支軸１０の後端部は、図６に加えて図４を参照すればよくわかるように、管状取付部材２５、保持部材２６、左右一対の側板２１，２２、取付保持板２３等を介して前記ハンドル３１，３２がピン２９，２９により非回転状態で連結固定されており、前記左右一対の側板２１，２２間に前記後輪７が軸架されるとともに、左右一対の支持板２４，２４を介して変速機４０が保持固定さている。
【００１８】
一方、前記揺動フレーム５０は、図６に加えて図４及び図５を参照すればよくわかるように、前記揺動支軸１０に緩く外嵌された前記管状メンバ５１に加えて、該管状メンバ５１が挿通固定せしめられる前後一対の穴５２ａ，５２ｂが形成されて下面が開口した箱型支持部材５２と、この箱型支持部材５２の左側側板部にその縦辺部５４ａが取付固定された横倒しＬ形状のＬ形保持メンバ５４と、上辺部５５ａが前記管状メンバ５１の前端部上面側に係止具５５Ａ等により取付固定され、下辺切欠対向端部５５ｂ，５５ｃが前記Ｌ形保持メンバ５４に芯材（図示省略）を介して連結固定された揺動側台形リング状メンバ５５と、前記Ｌ形保持メンバ５４の下辺部５４ｂに保持固定された所要数の送風機保持用ブラケット６６，６６，…が一体に取着された防振ゴム６７，６７，…と、前記管状メンバ５１の前部側下面に取付固定された下面及び後側面が開口した箱型カバー６９と、を備えている。
【００１９】
前記揺動側台形リング状メンバ５５の下辺切欠対向端部５５ｂの近傍に側車位置替え用スリーブ１４が取り付けられ、この側車位置替え用スリーブ１４に前記側車７０の湾曲支持杆６Ａがピン１４Ａにより取り付け位置可変に保持固定されている。
ここでは、前記側車７０は、図３に示される如くに、鉛直線ｇ−ｇに沿うように立てられる前輪６及び後輪７に対して外側に傾くように所定角度αだけ傾斜して配置されている。このように側車７０を傾斜させておくことにより、図８に示される如くに、前記走行式動力散布機１が凹凸のある畦畔Ｊを走行するときには、側車７０が田圃の法面Ｑや畦畔Ｊの路肩部分に接地することになるので、走行安定性が向上し、前記法面Ｑの下側に前記側車７０が落ち込み難くなるとともに、前記前輪６や後輪７がその側へ引き寄せられ難くなる。
【００２０】
そして、前記揺動フレーム５０の箱型支持部材５２の上面側に前記エンジン６０が搭載保持され、前記Ｌ形保持メンバ５４に保持固定された所要数の送風機保持用ブラケット６６，６６，…と一体の防振ゴム６７，６７，…の外に、前記箱型カバー６９等との間にも所要数の防振マウント部材６８，６８，…を挟んで、前記遠心式送風機６５が、前記搭載重量物部分５の重心位置を低くして安定性を向上させるべく、そのファン６５ｂの回転軸６５ｃが側面から見て前記揺動支軸１０に直交するように鉛直線ｇ−ｇに沿うように立てられた状態、言い換えればバーチカル形式で前記揺動支軸１０の下側に搭載保持されている。
【００２１】
前記エンジン６０は、前記遠心式送風機６５と前記後輪７の兼用駆動源とされている。すなわち、前記エンジン６０には、下方に向けて突出する散布作業用出力軸６１（図４参照）と、後方に向けて突出する走行用出力軸６２（図１，図２参照）とが設けられている。
【００２２】
前記散布作業用出力軸６１の動力は、２段Ｖベルト式巻掛伝動機構６４により前記遠心式送風機６５の回転軸６５ｃに伝達されるようになっており、該動力伝達を断接すべく前記２段Ｖベルト式巻掛伝動機構６４にはベルトテンションクラッチ６３（図１参照）が添設されている。このベルトテンションクラッチ６３は、ボーデンケーブル３７を介して前記左側のハンドル３１のグリップ部３１ａ近傍に設けられたクラッチレバー３３（図２）を握持することにより入状態となり、解放することにより切状態となされる。
【００２３】
また、前記エンジン６０の動力は、前記走行用出力軸６２からユニバーサルジョイント４１、ドライブシャフト４２、及びユニバーサルジョイント４３を介して前記ハンドル３１，３２の下側に配置された前記変速機４０に伝達され、この変速機４０からチェーン式巻掛伝動機構４５を介して前記後輪７に伝達されるようになっており、この動力伝達の断接操作は、図示されていないが、ボーデンケーブルを介して前記右側のハンドル３２のグリップ部３２ａ近傍に設けられたクラッチレバー３４（図１）を操作することによりなされる。なお、前記エンジン６０の動力伝達をユニバーサルジョイント４１，４３を介して行うようにしているのは、前記エンジン６０を含む前記揺動フレーム５０側の搭載重量物部分５が、後述するように前記変速機４０やハンドル３１，３２等の基体フレーム２側に対して揺動しても、前記エンジン６０や変速機４０に無理が力が加わらないようにして動力伝達を適正に行うためである。
【００２４】
一方、前記遠心式送風機６５のファンボリュートケース６５ａにおける前側上面部には、散布すべき農薬、肥料、種子等の散布物が貯留される貯留タンク７５の接続部７５ａが連結支持されており、前記貯留タンク７５内の散布物は、前記接続部７５ａ内の図示しないシャッターが開かれると下方に落下せしめられて、前記遠心式送風機６５により生成される搬送風に乗って、前記ファンボリュートケース６５ａの終端（後方から見て右側）の吹出口６５ｄに連結された後述する管状散布具８０を介して外部に噴射放出されて散布される。なお、前記貯留タンク７５から前記送風機６５によって搬送される散布物の量（散布量）を調整すべく、図１を参照すればよくわかるように、前記エンジン６０の左側にはブラケット７９を介して調量切り換え目盛盤７８及び調量レバー７６が配設されており、該調量レバー７６を操作することにより、操作杆７７を介して前記貯留タンク接続部７５ａ内のシャッターの開度が切り換えられるようになっている。
【００２５】
ここでは、前記前記揺動フレーム５０に搭載保持された前記貯留タンク７５及び遠心式送風機６５は、前記揺動支軸１０（の中心軸線Ｍ−Ｍ）より若干左側に偏位して配置され、また、前記エンジン６０は、前記中心軸線Ｍ−Ｍより若干右側に偏位して配置されており、前記揺動フレーム５０は、それに搭載保持された前記貯留タンク７５、前記遠心式送風機６５及び前記エンジン６０等からなる搭載重量物部分５により、左右のバランスを調整して前記側車７０を路面に押し付ける方向に適度に加重されている。
【００２６】
また、前記搭載重量物部分５及び前記揺動フレーム５０は、ここでは、図８に示される如くに、鉛直線ｇ−ｇに対して最大揺動角度β、例えば２０度程度まで揺動傾斜可能とされている。
そして、前記管状散布具８０は、前記前輪６の上方に立設されている前記した支持具９０により下記のように支持されている。
【００２７】
すなわち、前記管状散布具８０は、図３を参照すればよくかるように、前記遠心式送風機６５の吐出口６５ｄに連結されて、後方から見て右側方に張り出す、適度の弾性復元力を有するフレキシブルパイプからなるたわみ曲噴管８２と、この曲噴管８２に連結されて前記搭載重量物部分５の上側において斜め左上に向けて伸びる長さが約３ｍ程度の直噴管８４と、を備えており、該直噴管８４の噴口（先端部）８４ａは、前記搭載重量物部分５より左側方に突出して配置されている。
【００２８】
また、前記支持具９０は、前記管状散布具８０における直管部分とされる前記直噴管８４の、前記揺動支軸１０を揺動中心軸とした上下揺動に伴う長手方向の移動を許容するように、前記直噴管８４を摺滑動自在に支持するようにされている。より詳細には、前記支持具９０は、前記基体フレーム２における前記前輪６の上側に配置された前記上面連結板１６に立設された倒立Ｌ字状の支持杆９１と、この支持杆９１の後向きの先端部に取付金具９６により水平面に対して所定の傾斜角度θをもって取付固定された保持板９２と、該保持板９２の上端部及び下端部に取付固定されて、前記直噴管８４の中間部に緩く外嵌され、該直噴管８４の水平面に対する傾斜角度θを略一定に保持したまま長手方向に移動可能に支持案内する複数個のリング状支持案内部材９３，９４と、を備えている。
【００２９】
前記の如くの構成とされた本実施形態の走行式動力散布機１においては、ハンドル３１，３２や前輪６及び後輪７が配設された基体フレーム２に備えられる揺動支軸１０に、貯留タンク７５、送風機６５、エンジン６０等が搭載保持されるとともに側車７０が配設された揺動フレーム５０が、上下揺動自在に支持されているので、凹凸のある畦畔Ｊ等の不整地走行時には、前記前輪６及び後輪７が不整地の凹凸を拾うと、前記基体フレーム２に配設されたハンドル３１，３２が左右に多少は振れるが、前記貯留タンク７５、送風機６５、エンジン６０等の搭載重量物部分５は前記基体フレーム２とは独立して上下揺動自在に、言い換えればフローティング支持されているので、前記前輪６及び後輪７の左右の振れはほとんど生じないので、前記ハンドル３１，３２の振れも生じない。
【００３０】
逆にいえば、前記揺動フレーム５０側に配設された側車７０が不整地の凹凸を拾うと、前記搭載重量物部分５が上下に振れるが、この場合、前記搭載重量物部分５は前記側車７０と前記基体フレーム２（前記前輪６及び後輪７）の両方で支持されているので、従来のもののように主車輪のみで支持している場合に比して、その重心位置の変動がやわらげられて走行安定性が増すとともに、前記搭載重量物部分５の振れはハンドル３１，３２側には伝わり難くなる。
そのため、畦畔Ｊ等の不整地を走行する際にも、ハンドル操作を容易に行えて機体を制御しやすくなり、姿勢安定性及び走行安定性が増して転倒、転落等を招き難くなり、散布作業を容易かつ適正に、しかも効率良く行える。
【００３１】
また、前記管状散布具８０を前記支持具９０によって特定の態様で支持したことにより、不整地走行時等に、前記基体フレーム２あるいは前記送風機６５を含む搭載重量物部分５が上下に振れると、前記管状散布具８０も前記搭載重量物部分５と一緒に前記揺動支軸（の中心軸線Ｍ−Ｍ）１０を揺動中心軸として左右に振れようとするが、このとき、前記管状散布具８０の直噴管８４は、前記支持具９０のリング状支持案内部材９３，９４に案内されて、前記揺動支軸１０を揺動中心軸とした前記搭載重量物部分５の揺動に伴って、前記リング状支持案内部材９３，９４に対して長手方向（図３において白抜き矢印で示される如くの方向）に相対移動せしめられる。
【００３２】
そのため、不整地走行時においても、管状散布具８０から噴射放出される散布物の水平面に対する噴射放出角度（θ）はほとんど変化せず、その結果、田圃の作物等に対する散布物の散布密度が均一化され、散布むらが減少し、散布性能が向上する。
【００３３】
以上、本発明の一実施形態について詳述したが、本発明は、前記実施形態に限定されるものではなく、特許請求の範囲に記載された本発明の精神を逸脱することなく、設計において種々の変更ができるものである。
例えば、前記実施形態において、前記側車７０と前記揺動フレーム５０との間に、コイルバネ、板バネ、ガスダンパ等からなるショックアブソーバを介装すれば、前記搭載重量物部分５の変位を緩和でき、走行安定性が一層増す。
【００３４】
【発明の効果】
以上の説明から理解されるように、本発明による走行式動力散布機は、凹凸のある畦畔等の不整地を走行する際にも、操縦ハンドルの左右方向の揺動を可及的に抑えて姿勢安定性及び走行安定性を向上させることができるとともに、散布むらが減少して散布性能を向上させることができ、散布作業を容易かつ適正にしかも効率良く行えるという優れた効果を奏する。
【図面の簡単な説明】
【図１】本発明に係る走行式動力散布機の一実施形態を示す平面図。
【図２】図１に示される走行式動力散布機の左側面図。
【図３】図１に示される走行式動力散布機の後面図。
【図４】図１に示される走行式動力散布機における要部の部分切欠拡大左側面図。
【図５】図１に示される走行式動力散布機における要部の部分切欠拡大後面図。
【図６】図１に示される走行式動力散布機における基体フレーム、ハンドル、前後輪を示す左側面図。
【図７】図１に示される走行式動力散布機における搭載重量物部分及び揺動フレームを示す左側面図。
【図８】図１に示される走行式動力散布機において搭載重量物部分及び揺動フレームが揺動傾斜した状態を示す後面図。
【符号の説明】
１          走行式動力散布機
２          基体フレーム
５          搭載重量物部分
６          前輪（主車輪）
６ａ        ショックアブソーバ
７          後輪（主車輪）
１０        揺動支軸
３１，３２  操縦ハンドル
５０        揺動フレーム
６０        エンジン（原動機）
６５        遠心式送風機
６５ｂ      ファン
６５ｃ      回転軸
６５ｄ      吐出口
７０        側車
７５        貯留タンク
８０        管状散布具
８２        曲噴管
８４        直噴管
９０        支持部
９１        支持杆
９３，９４  リング状支持案内部材
α          側車の傾斜角度
θ          直噴管の傾斜角度
【図１】
0003863955.tif 000002
【図２】
0003863955.tif 000003
【図３】
0003863955.tif 000004
【図４】
0003863955.tif 000005
【図５】
0003863955.tif 000006
【図６】
0003863955.tif 000007
【図７】
0003863955.tif 000008
【図８】
0003863955.tif 000009